(57)【要約】【課題】  紛失した携帯端末を確実に探索および発見できる携帯端末探索システムを提供する。【解決手段】  本発明の携帯端末探索システム１００は、携帯端末１０２が、探索側装置（ワイヤレスイヤフォン１０４）と近距離無線通信可能な近距離無線通信部１１６と、音、光、または振動によって外部に報知が可能な報知部と、当該携帯端末１０２が操作されていない状態が所定時間以上継続しているかどうかに基づいて紛失状態を判定し、紛失状態を判定した場合に近距離無線通信部１１６を近距離無線通信可能なオン状態にする探索モードを起動する制御部１１０とを備え、探索側装置が、携帯端末１０２と近距離無線通信可能な近距離無線通信部１５２を備えることを特徴とする。【選択図】図１
2013187585.tif 000002
【特許請求の範囲】
【請求項１】
携帯端末と該携帯端末を探索する探索側装置とを含む携帯端末探索システムにおいて、
前記携帯端末は、
前記探索側装置と近距離無線通信可能な近距離無線通信部と、
音、光、または振動によって外部に報知が可能な報知部と、
当該携帯端末が操作されていない状態が所定時間以上継続しているかどうかに基づいて紛失状態を判定し、紛失状態を判定した場合に前記近距離無線通信部を近距離無線通信可能なオン状態にする探索モードを起動する制御部とを備え、
前記探索側装置は、
前記携帯端末と近距離無線通信可能な近距離無線通信部を備えることを特徴とする携帯端末探索システム。
【請求項２】
前記制御部は、前記探索モードにおいて、間欠的に近距離無線通信部を近距離無線通信可能なオン状態にすることを特徴とする請求項１に記載の携帯端末探索システム。
【請求項３】
前記携帯端末は、外部情報を取得する外部情報取得部をさらに備え、
前記探索側装置は、前記携帯端末から受信した前記外部情報を出力する出力部をさらに備えることを特徴とする請求項１または２に記載の携帯端末探索システム。
【請求項４】
前記制御部は、前記探索モードにおいて、前記近距離無線通信の受信レベルまたは通信遅延量に基き前記探索側装置との距離を推定し、該距離が近いと推定した場合には前記報知部による報知を行わせ、該距離が近くないと推定した場合には前記近距離無線通信により前記外部情報を前記探索側装置に送信し前記出力部を通じて該外部情報をユーザへと伝達することを特徴とする請求項３に記載の携帯端末探索システム。
【請求項５】
前記報知部は少なくとも音による外部への報知が可能であり、
前記制御部は、前記探索モードにおいて、前記報知部による報知を行わせる場合に時間帯を考慮して音量レベルを制御することを特徴とする請求項４に記載の携帯端末探索システム。
【請求項６】
前記外部情報取得部は、ＧＰＳ受信部、加速度センサ、カメラ、照度センサ、近接センサ、静電センサ、マイクのいずれかを含むことを特徴とする請求項３から５のいずれか１項に記載の携帯端末探索システム。
【請求項７】
前記探索側装置は、ワイヤレスイヤフォンであることを特徴とする請求項１から６のいずれか１項に記載の携帯端末探索システム。
【請求項８】
探索側装置と近距離無線通信可能な近距離無線通信部と、
音、光、または振動によって外部に報知が可能な報知部と、
当該携帯端末が操作されていない状態が所定時間以上継続しているかどうかに基づいて紛失状態を判定し、紛失状態を判定した場合に前記近距離無線通信部を近距離無線通信可能なオン状態にする探索モードを起動する制御部とを備えることを特徴とする携帯端末。
【請求項９】
携帯端末が操作されていない状態が所定時間以上継続しているかどうかに基づいて紛失状態を判定し、
紛失状態を判定した場合に前記携帯端末を近距離無線通信可能なオン状態にし、
前記携帯端末と探索側装置との近距離無線通信を確立し、
前記近距離無線通信の受信レベルまたは通信遅延量に基き前記携帯端末に音、光、または振動によって外部への報知を行わせるか、または前記携帯端末から前記探索側装置に該携帯端末が取得した外部情報を送信することを特徴とする携帯端末探索方法。
【発明の詳細な説明】
【技術分野】
【０００１】
本発明は、携帯端末と携帯端末を探索する探索側装置とを含む携帯端末探索システム、携帯端末、および携帯端末探索方法に関する。
【背景技術】
【０００２】
従来から、紛失した携帯端末を探索する探索システムとして様々なものが提案されている。例えば、特許文献１では、被探索側装置（探索受信側装置）を付加または組み込んだ所有物の所在が分からなくなった場合に、近距離無線通信により探索側装置から被探索側装置を呼び出す技術を開示している。特許文献１では、呼び出された被探索側装置が、音、光、または振動等によって、少なくとも無線が届く範囲内に存在することをユーザに通知するとしている。
【０００３】
特許文献２では、探索側装置からの探索指示を含む探索データを被探索側装置が受信し、そのときの状態が消音モード中であるかどうかを被探索側装置が判定し、判定結果が消音モード中である場合には消音モードを被探索側装置が解除する技術を開示している。特許文献２では、受信した探索データの信号強度より被探索側装置と探索側装置との距離を被探索側装置が算出し、その算出した探索側装置との距離に応じて被探索側装置が出力する音の音量を変化させるとしている。
【先行技術文献】
【特許文献】
【０００４】
【特許文献１】特開２００３−３２３６８２号公報
【特許文献２】特開２００６−１３５９０５号公報
【発明の概要】
【発明が解決しようとする課題】
【０００５】
しかしながら、特許文献１の技術では、被探索側装置の近距離無線通信部が近距離無線通信可能なオン状態でなければ、所在が分からなくなった場合に探索することができない。常に近距離無線通信部を近距離無線通信可能なオン状態に設定しておくことも考えられるが、この場合には被探索側装置のバッテリーの消耗が激しくなり、すぐにバッテリー切れになってしまうおそれがある。また、紛失した被探索側装置が消音モードに設定されている場合、近距離無線通信できたとしても音が出力されないので、紛失した被探索側装置の探索が困難となる。これに対して、特許文献２の技術では、紛失した被探索側装置の消音モードを解除するとしているが、被探索側装置との距離が離れすぎていたり（近くなかったり）、被探索側装置が他のもので覆われていたり、音を吸収する材質のところに置かれていたりすると、いずれにせよ探索が困難となる。さらに、特許文献１、２の技術では、探索側装置を積極的に操作しなければならず、わずらわしさが生じる問題もある。
【０００６】
本発明は、上記課題に鑑みてなされたものであり、紛失した携帯端末を確実に探索および発見できる携帯端末探索システム、携帯端末、および携帯端末探索方法を提供することを目的とする。
【課題を解決するための手段】
【０００７】
上記課題を解決するために本発明にかかる携帯端末探索システムの構成は、携帯端末と携帯端末を探索する探索側装置とを含む携帯端末探索システムにおいて、携帯端末は、探索側装置と近距離無線通信可能な近距離無線通信部と、音、光、または振動によって外部に報知が可能な報知部と、当該携帯端末が操作されていない状態が所定時間以上継続しているかどうかに基づいて紛失状態を判定し、紛失状態を判定した場合に近距離無線通信部を近距離無線通信可能なオン状態にする探索モードを起動する制御部とを備え、探索側装置は、携帯端末と近距離無線通信可能な近距離無線通信部を備えることを特徴とする。
【０００８】
制御部は、探索モードにおいて、間欠的に近距離無線通信部を近距離無線通信可能なオン状態にするとよい。
【０００９】
携帯端末は、外部情報を取得する外部情報取得部をさらに備え、探索側装置は、携帯端末から受信した外部情報を出力する出力部をさらに備えるとよい。
【００１０】
制御部は、探索モードにおいて、近距離無線通信の受信レベルまたは通信遅延量に基き探索側装置との距離を推定し、距離が近いと推定した場合には報知部による報知を行わせ、距離が近くないと推定した場合には近距離無線通信により外部情報を探索側装置に送信し出力部を通じて外部情報をユーザへと伝達するとよい。
【００１１】
報知部は少なくとも音による外部への報知が可能であり、制御部は、探索モードにおいて、報知部による報知を行わせる場合に時間帯を考慮して音量レベルを制御するとよい。
【００１２】
外部情報取得部は、ＧＰＳ受信部、加速度センサ、カメラ、照度センサ、近接センサ、静電センサ、マイクのいずれかを含むとよい。
【００１３】
探索側装置は、ワイヤレスイヤフォンであるとよい。
【００１４】
上記課題を解決するために本発明にかかる携帯端末の構成は、探索側装置と近距離無線通信可能な近距離無線通信部と、音、光、または振動によって外部に報知が可能な報知部と、当該携帯端末が操作されていない状態が所定時間以上継続しているかどうかに基づいて紛失状態を判定し、紛失状態を判定した場合に近距離無線通信部を近距離無線通信可能なオン状態にする探索モードを起動する制御部とを備えることを特徴とする。
【００１５】
上記課題を解決するために本発明にかかる携帯端末探索方法の構成は、携帯端末が操作されていない状態が所定時間以上継続しているかどうかに基づいて紛失状態を判定し、紛失状態を判定した場合に携帯端末を近距離無線通信可能なオン状態にし、携帯端末と探索側装置との近距離無線通信を確立し、近距離無線通信の受信レベルまたは通信遅延量に基き携帯端末に音、光、または振動によって外部への報知を行わせるか、または携帯端末から探索側装置に携帯端末が取得した外部情報を送信することを特徴とする。
【発明の効果】
【００１６】
本発明によれば、紛失した携帯端末を確実に探索および発見できる携帯端末探索システム、携帯端末、および携帯端末探索方法を提供可能である。
【図面の簡単な説明】
【００１７】
【図１】本発明の実施形態にかかる携帯端末探索システムの概念図である。
【図２】図１に示す携帯端末の概略的な構成を示したブロック図である。
【図３】図１に示すワイヤレスイヤフォンの概略的な構成を示したブロック図である。
【図４】図１に示す携帯端末の探索モードの起動について説明するフローチャートである。
【図５】図１に示す携帯端末の探索モード起動後の動作について説明するフローチャートである。
【図６】図１に示す携帯端末と探索側装置との近距離無線通信の確立から、携帯端末の探索および発見について説明するフローチャートである。
【図７】図１に示す携帯端末の探索モードの解除について説明するフローチャートである。
【発明を実施するための形態】
【００１８】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１９】
図１は、本発明の実施形態にかかる携帯端末探索システム１００の概念図である。図１に示すように、携帯端末探索システム１００は、探索側装置を用いて紛失した携帯端末１０２を探索するシステムである。本実施形態では、探索側装置は予め携帯端末１０２と認証登録されているワイヤレスイヤフォン１０４である。
【００２０】
図２は、携帯端末１０２の概略的な構成を示したブロック図である。携帯端末１０２は、制御部１１０、記憶部１１２、無線通信部１１４、近距離無線通信部１１６、表示部１１８、入力操作部１２０、発光部１２２、振動部１２４、ＧＰＳ受信部１２６、加速度センサ１２８、照度センサ１３０、近接センサ１３２、カメラ１３４、音声処理部１３６、マイク１３８、スピーカ１４０、バッテリー１４２を備える。
【００２１】
制御部１１０は、中央処理装置いわゆるＣＰＵを含んで構成され、当該携帯端末１０２を制御する。記憶部１１２は、ＲＯＭやＲＡＭ、フラッシュメモリ等で構成され、制御部１１０が実行するプログラムを記憶する。また、記憶部１１２は、各種情報を記憶する。
【００２２】
無線通信部１１４は、ＬＴＥやＣＤＭＡ、ＷｉＭＡＸ（Worldwide Interoperability for Microwave Access）等の所定の無線通信方式により基地局との無線通信を確立する。相手先との音声通信やデータ通信は、基地局が接続する有線ネットワークを介して行われる。
【００２３】
近距離無線通信部１１６は、近距離無線通信可能なオン状態のときに、Ｂｌｕｅｔｏｏｔｈ（登録商標）やＷｉＦｉ（登録商標）等の近距離無線通信によりワイヤレスイヤフォン１０４との接続を確立する。近距離無線通信部１１６のオン状態、オフ状態の切替は制御部１１０によって制御される。
【００２４】
表示部１１８は、液晶ディスプレイやＥＬ(Electro Luminescence)ディスプレイ等とそのコントローラで構成され、ユーザに画像を表示する。入力操作部１２０は、テンキーや十字キーなどのスイッチ、ジョイスティック等で構成され、ユーザの入力操作を受け付ける。なお、タッチパネルディスプレイのような表示部１１８と入力操作部１２０を兼ねるものを備えてもよい。
【００２５】
発光部１２２は、携帯端末１０２に搭載されたＬＥＤ等であって、制御部１１０の制御に基き発光する。振動部１２４は、携帯端末１０２に搭載されたバイブレータであって、制御部１１０の制御に基き振動する。
【００２６】
ＧＰＳ受信部１２６は、ＧＰＳ衛星からの電波を受信する。ＧＰＳ受信部１２６により、携帯端末１０２の位置情報を取得することができる。また、測位方法としてディファレンシャル測位（ＤＧＰＳ）や干渉測位を採用することで、取得する位置情報の精度を向上することができる。例えば、ディファレンシャル測位では誤差を１ｍ程度とすることができ、干渉測位では誤差を数ｃｍ程度とすることも可能である。
【００２７】
加速度センサ１２８は、携帯端末１０２の加速度を検出する。加速度センサ１２８により、携帯端末１０２の傾き（向き）や移動しているかどうかを検出することができる。照度センサ１３０は、光の明るさを検出する。近接センサ１３２は、物体が周囲に近接して存在しているかどうかを検出する。カメラ１３４は、ＣＭＯＳイメージセンサやＣＣＤイメージセンサ等を含んで構成され、携帯端末１０２外部を撮像する。
【００２８】
音声処理部１３６は、マイク１３８とスピーカ１４０とに接続し、各種音声処理（例えば音声データに対するデジタル処理）を実行する。マイク１３８は外部の音を取得し、スピーカ１４０は外部へ音を出力する。バッテリー１４２は、携帯端末１０２に電力を供給する。
【００２９】
上述した表示部１１８、発光部１２２、振動部１２４、スピーカ１４０は、音、光、または振動によって外部に報知が可能な報知部である。また、ＧＰＳ受信部１２６、加速度センサ１２８、照度センサ１３０、近接センサ１３２、カメラ１３４、マイク１３８は、外部情報を取得する外部情報取得部である。
【００３０】
図３は、ワイヤレスイヤフォン１０４の概略的な構成を示したブロック図である。図３に示すようにワイヤレスイヤフォン１０４は、制御部１５０、近距離無線通信部１５２、スピーカ１５４、バッテリー１５６、電源スイッチ１５８を備える。ワイヤレスイヤフォン１０４は、電源スイッチ１５８がオン状態のときにバッテリー１５６から電力が供給され、使用可能な状態となる。
【００３１】
制御部１５０は、中央処理装置いわゆるＣＰＵを含んで構成され、当該ワイヤレスイヤフォン１０４を制御する。近距離無線通信部１５２は、電源スイッチ１５８がオン状態のときに、Ｂｌｕｅｔｏｏｔｈ（登録商標）やＷｉＦｉ（登録商標）等の近距離無線通信により携帯端末１０２との接続を確立する。スピーカ１５４は、ワイヤレスイヤフォン１０４を装着したユーザに音を出力する出力部である。
【００３２】
図４は、携帯端末１０２の探索モードの起動について説明するフローチャートである。携帯端末探索システム１００では、携帯端末１０２が操作されていない状態が所定時間以上継続しているかどうかに基づいて、制御部１１０が紛失状態を判定する。紛失状態と判定する条件は、入力操作部１２０からの入力操作によりユーザが任意に決定することができる。なお、就寝時間帯等に関しては、紛失状態と判定する条件を緩めに設定可能にするとよい。例えば、操作がない場合に紛失状態と判定する時間を別個に長めに設定可能にするとよい。
【００３３】
図４に示すように、ここでは、制御部１１０が入力操作部１２０への入力操作の履歴（タッチパネルディスプレイの場合、静電センサの反応）、無線通信部１１４による音声通信、データ通信の履歴、加速度センサ１２８の加速度、ＧＰＳ受信部１２６の位置情報を取得する（ステップＳ２００）。そして、入力操作部１２０への入力操作および無線通信部１１４による音声通信、データ通信がない状態がユーザが設定した時間継続し、加速度センサ１２８が取得する加速度が固化、ＧＰＳ受信部１２６が取得する位置情報が変化なしの場合に制御部１１０は紛失状態と判定する。
【００３４】
制御部１１０が紛失状態を判定すると（ステップＳ２０２ＹＥＳ）、制御部１１０が探索モードを起動する（ステップＳ２０４）。探索モードでは、近距離無線通信部１１６が近距離無線通信可能なオン状態にされる。一方、制御部１１０が紛失状態を判定しない場合には（ステップＳ２０２ＮＯ）、ステップＳ２００に戻り引き続き監視を続ける。
【００３５】
図５は、携帯端末１０２の探索モード起動後の動作について説明するフローチャートである。図５に示すように、探索モードを起動すると、携帯端末１０２の制御部１１０は、間欠的に近距離無線通信部１１６を近距離無線通信可能なオン状態にする（ステップＳ２０６）。間欠的にオン状態にすることで、バッテリー１４２の消耗を抑え、バッテリー１４２切れを防ぐことができる。
【００３６】
また、携帯端末１０２の制御部１１０は、探索モード起動中外部情報取得部等を通じて外部情報を収集する。制御部１１０は、ＧＰＳ受信部１２６を利用して、携帯端末１０２の位置情報を取得する（ステップＳ２０８）。かかる位置情報には、携帯端末１０２の経度、緯度、高さに関する情報を含む。制御部１１０は、加速度センサ１２８により携帯端末１０２の加速度を取得する（ステップＳ２１０）。制御部１１０は、照度センサ１３０により周囲の明るさを取得する（ステップＳ２１２）。制御部１１０は、近接センサ１３２により物体が周囲に近接して存在しているかどうかを検出する（ステップＳ２１４）。制御部１１０は、カメラ１３４に周囲を撮像させ、その画像を取得する（ステップＳ２１６）。制御部１１０は、マイク１３８によって外部の音を取得する（ステップＳ２１８）。これらの外部情報の収集は、探索モードが解除される（ステップＳ２５２ＹＥＳ）まで実行される。
【００３７】
図６は、携帯端末１０２とワイヤレスイヤフォン１０４との近距離無線通信の確立から、携帯端末１０２の探索および発見について説明するフローチャートである。図６に示すように、例えば家の中で何処においたか忘れたなど携帯端末１０２を紛失したユーザは予め認証登録されているワイヤレスイヤフォン１０４の電源スイッチ１５８をオン状態にする（ステップＳ２２０）。
【００３８】
ここで携帯端末１０２が上述したように探索モードを起動していれば、携帯端末１０２とワイヤレスイヤフォン１０４との近距離無線通信が確立される（ステップＳ２２２ＹＥＳ）。なお、ワイヤレスイヤフォン１０４は、携帯端末１０２との近距離無線通信が確立されるまでは（ステップＳ２２２ＮＯ）その確立を試みる。
【００３９】
近距離無線通信が確立されると（ステップＳ２２２ＹＥＳ）、ワイヤレスイヤフォン１０４のスピーカ１５４から音声でユーザに探索開始が伝達される（ステップＳ２２４）。携帯端末１０２の制御部１１０は、近距離無線通信の受信レベルまたは通信遅延量に基き外部情報であるワイヤレスイヤフォン１０４との距離を推定する（ステップＳ２２６）。そして、携帯端末１０２の制御部１１０が、スピーカ１４０からの音、表示部１１８および発光部１２２からの光、並びに振動部１２４の振動による外部への報知のみで当該携帯端末１０２を探索および発見できるかどうかを判定する。
【００４０】
上記の判定は、ステップＳ２２６で推定した距離に基づき行う。ここで、ステップＳ２１２で取得した明るさ、ステップＳ２１４で取得した物体が周囲に近接して存在しているかどうか（携帯端末１０２が何かで覆われているかどうか）、ステップＳ２１８で取得した外部の音（周囲に大きな雑音があるかどうか）、または携帯端末１０２が消音モード（マナーモード）であるかどうかを考慮して判定するようにしてもよい。
【００４１】
外部への報知のみで携帯端末１０２を探索および発見できると判定した場合には（ステップＳ２２８ＹＥＳ）、時間帯が就寝時間帯かどうかを判定する。時間帯が就寝時間帯でない場合（ステップＳ２３０ＮＯ）、制御部１１０は、スピーカ１４０からの音、表示部１１８および発光部１２２からの光、並びに振動部１２４の振動による外部への報知を行わせる（ステップＳ２３２）。これにより、携帯端末１０２を発見させる。
【００４２】
一方、外部への報知のみでは携帯端末１０２を探索および発見できないと判定した場合（ステップＳ２２８ＮＯ）、または時間帯が就寝時間帯である場合（ステップＳ２３０ＹＥＳ）、携帯端末１０２の近距離無線通信部１１６は近距離無線通信で外部情報取得部等が取得する外部情報をワイヤレスイヤフォン１０４に送信する。そして、ワイヤレスイヤフォン１０４が、受信したその外部情報をスピーカ１５４から音声でユーザに出力する（ステップＳ２３６）。かかる外部情報の出力は、携帯端末１０２が発見されるまで継続的に実行される。
【００４３】
例えば、ステップＳ２０８で取得した携帯端末１０２の位置情報をユーザに出力する。ここで予め家の１階、２階、３階等、基準となる高さ（リファレンス）を携帯端末１０２に入力および記憶させておき、ＧＰＳ受信部１２６を利用して取得した位置情報が基準となる高さを登録した位置（ここでは家）と合致する場合、制御部１１０がこれらを比較することで携帯端末１０２が家の何階にあるのかを推定するようにしてもよい。これにより、ワイヤレスイヤフォン１０４のスピーカ１５４から音声で携帯端末１０２が家の何階にあるのかをユーザに伝達することができる。
【００４４】
また、例えばステップＳ２１２で取得した明るさに基づいて「明るい場所」または「明るくない場所」とスピーカ１５４から音声でユーザに伝達するようにしてもよい。ステップＳ２１４で取得した近接センサ１３２の検出結果に基づき「何かで覆われていない」または「何かで覆われている」とスピーカ１５４から音声でユーザに伝達するようにしてもよい。ステップＳ２１０で取得した加速度から移動中であるかどうか又は当該携帯端末の傾き（向き）をユーザに伝達するようにしてもよいし、ステップＳ２１８で取得した外部の音をユーザに伝達するようにしてもよい。さらに、ステップＳ２２６で推定した距離をスピーカ１５４から音声で適宜ユーザに伝達したり、この距離を制御部１１０に適宜推定させ、「近づいた」または「近づいていない」とスピーカ１５４から音声で適宜ユーザに伝達したりするとよい。
【００４５】
なお、本実施形態では探索側装置として予め携帯端末１０２と認証登録されたワイヤレスイヤフォン１０４を例示しているが、これに限定されるわけではない。例えば表示部を備える探索側装置でもよいし、その場合にはステップＳ２１６で撮像した画像を探索側装置へと近距離無線通信で送信し、探索側装置の表示部へ表示させてもよい。また、ステップＳ２１６で撮像した画像を予め登録した画像と照合することで、携帯端末１０２がどこにあるのかを割り出す機能を設けてもよい。
【００４６】
スピーカ１５４から出力される外部情報に基づきワイヤレスイヤフォン１０４を装着したユーザとの距離が近くなると（ステップＳ２３８ＹＥＳ）、携帯端末１０２の制御部１１０は消音モードであるかどうかを確認する。消音モードでない場合（ステップＳ２４０ＮＯ）制御部１１０は就寝時間帯であるかどうかを確認し、就寝時間帯でない場合（ステップＳ２４２ＮＯ）ステップＳ２３２へと移行する。一方、消音モードである場合（ステップＳ２４０ＹＥＳ）または就寝時間帯である場合（ステップＳ２４２ＹＥＳ）、制御部１１０は、スピーカ１４０からの音、表示部１１８および発光部１２２からの光、並びに振動部１２４の振動による外部への報知をその大きさを制御して行わせる（ステップＳ２４４）。すなわち、音量レベルや発光レベルを周囲に迷惑にならない程度に抑えて報知を行わせる。これにより、携帯端末１０２を発見させる。なお、ステップＳ２４２では就寝時間帯であるかどうかを判定しているが、これに限らず、他の時間帯であるかどうかを判定して外部への報知の大きさを決定してもよい。
【００４７】
図７は、携帯端末１０２の探索モードの解除について説明するフローチャートである。図７に示すように、携帯端末１０２の制御部１１０は、入力操作部１２０への入力操作の有無（タッチパネルディスプレイの場合、静電センサの反応）、無線通信部１１４による音声通信、データ通信の有無、加速度センサ１２８の加速度、ＧＰＳ受信部１２６の位置情報を取得する（ステップＳ２４６）。そして、入力操作部１２０への入力操作または無線通信部１１４による音声通信、データ通信があった場合、加速度センサ１２８が取得する加速度の固化を脱した場合、またはＧＰＳ受信部１２６が取得する位置情報が変化した場合に（ステップＳ２４８ＹＥＳ）、制御部１１０は探索モードを解除する（ステップＳ２５０）。なお、探索モードを解除する条件は、これに限らず、入力操作部１２０からの入力操作によりユーザが任意に決定できるものとする。
【００４８】
上述した携帯端末探索システム１００によれば、制御部１１０は間欠的に近距離無線通信部１１６を近距離無線通信可能なオン状態にするので、バッテリー１４２の消耗を抑えその切れを防いで、近距離無線通信を確立することができる。また、外部への報知のみで携帯端末１０２を探索および発見できると判定した場合には外部への報知がなされ、外部への報知のみでは携帯端末１０２を探索および発見できないと判定した場合にはワイヤレスイヤフォン１０４に外部情報が送信されそのスピーカ１５４からユーザに伝達される。したがって、紛失した携帯端末１０２を確実に探索および発見できる。さらに、ユーザはワイヤレスイヤフォン１０４の電源スイッチ１５８をオン状態にするだけで、わずらわしい操作を行うことなく紛失した携帯端末１０２の探索が可能である。
【００４９】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００５０】
本発明は、携帯端末と携帯端末を探索する探索側装置とを含む携帯端末探索システム、携帯端末、および携帯端末探索方法として利用可能である。
【符号の説明】
【００５１】
１００…携帯端末探索システム、１０２…携帯端末、１０４…ワイヤレスイヤフォン、１１０…制御部、１１２…記憶部、１１４…無線通信部、１１６…近距離無線通信部、１１８…表示部、１２０…入力操作部、１２２…発光部、１２４…振動部、１２６…ＧＰＳ受信部、１２８…加速度センサ、１３０…照度センサ、１３２…近接センサ、１３４…カメラ、１３６…音声処理部、１３８…マイク、１４０…スピーカ、１４２…バッテリー、１５０…制御部、１５２…近距離無線通信部、１５４…スピーカ、１５６…バッテリー、１５８…電源スイッチ
【図１】
2013187585.tif 000003
【図２】
2013187585.tif 000004
【図３】
2013187585.tif 000005
【図４】
2013187585.tif 000006
【図５】
2013187585.tif 000007
【図６】
2013187585.tif 000008
【図７】
2013187585.tif 000009